(57)【要約】      （修正有）【課題】一種の両面に流路板を具えた燃料電池装置において、燃料電池全体の体積を大幅に削減し、且つ、発電電力を倍増することを課題とする。【解決手段】両面に流路板を具えた燃料電池装置１には板体１１１、及び、該板体の両側表面にそれぞれ分れて設置する流れ場構造１１３，１１５を含んだ両面流路板１１と、それぞれ分かれて該板体の両側表面上で被覆され、且つ、貼付している２枚の燃料電池板１３，１５を含むことを特徴とする。【選択図】図３
0003117702.tif 000002
【実用新案登録請求の範囲】
【請求項１】
両面に流路板を具えた燃料電池装置において、
板体、及び、該板体の両側表面にそれぞれ分れて設置する流れ場構造を含んだ両面流路板と、
それぞれ分かれて該板体の両側表面上で被覆され、且つ、貼付している２枚の燃料電池板を含むことを特徴とする燃料電池装置。
【請求項２】
請求項１記載の燃料電池装置において、その流れ場構造は、
燃料と該燃料電池板の内部を連結させる流路と、
該板体の側辺に配置され、且つ、該流路の末端と連結する燃料注入口を含むことを特徴とする燃料電池装置。
【請求項３】
請求項２記載の燃料電池装置において、その流れ場構造は、さらに一歩進んで、該板体の側辺に配置され、且つ、該流路の別の末端と連結する燃料排出口を含むことを特徴とする燃料電池装置。
【請求項４】
請求項１記載の燃料電池装置において、その燃料電池板が、メタノール型燃料電池板であることを特徴とする燃料電池装置。
【請求項５】
請求項１記載の燃料電池装置において、該燃料電池板が、液体燃料型燃料電池板であることを特徴とする燃料電池装置。
【請求項６】
請求項１記載の燃料電池装置において、該燃料電池板が、ガス型燃料電池板であることを特徴とする燃料電池装置。
【考案の詳細な説明】
【技術分野】
【０００１】
本考案は、一種の燃料電池装置に関り、特に両面に流路板を具えた燃料電池装置に関するものである。
【背景技術】
【０００２】
従来の燃料電池装置は、用いる流路板の片面上に例えば流路溝のような流れ場構造を設置し、燃料電池装置の膜電極接合体をこの片面上に密着させることしか選択がなく、この従来構造は、平面で、且つ、大面積タイプの燃料電池装置に実行すると、流路板の面積が少なくとも燃料電池の面積程度に近いものとならなければならず、これにより燃料電池の各膜電極接合体が燃料供給を得られることができることから、従来の燃料電池装置を明確に小型化された燃料電池装置として実行することが困難であった。
【０００３】
本考案の考案者は、従来の燃料電池装置の欠陥を鑑み、改良に努めることで一種の両面に流路板を具えた燃料電池装置を創作した。
【考案の開示】
【考案が解決しようとする課題】
【０００４】
本考案の主な目的は、一種の両面に流路板を具えた燃料電池装置を提供することにあり、燃料電池全体の体積を大幅に削減し、且つ、発電電力を倍増することができることにある。
【課題を解決するための手段】
【０００５】
上記目的を達成するため、本考案では両面に流路板を具えた燃料電池装置には板体、及び、該板体の両側表面にそれぞれ分れて設置する流れ場構造を含んだ両面流路板と、それぞれ分かれて該板体の両側表面上で被覆され、且つ、貼付している２枚の燃料電池板を含むことを提供することである。 
【０００６】
該項目を熟知する技術者に本考案の目的、特徴、及び、効果を理解してもらうため、下記の具体的な実施例を介すると共に付属の図式を組み合わせ、本考案に対する詳細な説明を以下のとおり行うものである。
【考案の効果】
【０００７】
本考案の両面に流路板を具えた燃料電池装置の長所と効果は、あきらかに増進の道をたどっており、それは以下のとおりである。
1.両面流路板の上、下両面からそれぞれ燃料を上、下の燃料電池板に供給できることで、本考案としての小型化された燃料電池装置が容易に実行できると同時に発電能力を倍増させることができる。
2.本考案において両面に流路板を具えた燃料電池装置を板状構造として用いることで、本考案をモジュール化できる長所を具備させることになる。
本考案は、具体的な実施例で上記のとおりに開示したが、開示した具体的な実施例が本考案として限定的に用いることではなく、該項目を熟知する技術者は本考案の精神と範囲に基づき各種の改変と修飾を行なうことができ、行なった改変或いは修飾も全て本考案の保護範疇にあり、本考案の保護範囲は、実用新案登録請求の範囲に定義するものを基準とする。
【実施例】
【０００８】
図１は、本考案である両面に流路板を具えた燃料電池装置の立体見取図、図２が本考案である図１の立体分解見取図、及び、図３が本考案の図１の側面断面の見取図である。本考案の燃料電池装置1は、主に両面流路板11、及び、２枚の燃料電池板13、15を含み、その燃料電池板13、15がそれぞれ分れて両面流路板11の両側表面で被覆され、且つ、貼付している。燃料電池板13、15は、両面流路板11としっかりと密着し、これにより両面流路板11に位置する燃料が外部に漏洩する状況が発生することが無く、同時に、両面流路板11内の燃料は、それぞれ分かれて燃料電池板13、15の内部に流入することで、燃料電池板13、15においてそれぞれ電気化学的反応を起して電力を発生させる。
【０００９】
燃料電池板13、15は、均しく同一構造を採用し、燃料電池板13、15は主に基層板131と、151、基層板131、151の局部区域内に嵌設する複数個の膜電極接合体133、153、及び、基層板131、151の上、下表面でそれぞれ分れて形成されている複数個集電層135a、135b、155a、155bを含むことである。各集電層135a、135b、155a、155bが所属する区域範囲内において、燃料がこれら膜電極接合体133、153に流入させることができるように複数個の貫通孔を設置している。
【００１０】
図４は、本考案の両面流路板の上表面の平面上面見取図、及び、図５が図４の両面流路板の下表面の平面上面見取図である。図４と図５内において、両面流路板11の基材は１枚の板体111で、板体111が例えば金属基材、プラスチック基材などを用いることができ、板体111の上表面と下表面にそれぞれ分れて流れ場構造113、115を形成し、また、流れ場構造113、115の主な機能は、燃料の流入を提供することで燃料がスムーズにこれら膜電極接合体133、153に流入させることにある。更に、流れ場構造113、115もこれら膜電極接合体133、153の電気化学的反応後の生成物を外部に向かって排出するルートを提供できる。流れ場構造113、115は、通常同一構造を用いているため、当然、図４と図５で示す流れ場構造113、115を例としたが、これは説明開示の目的のためであって、本考案ではこの種の構造のみに限られるものではない。流れ場構造113、115は流路1131、1151、及び、それぞれ流路1131、1151に分かれて連結する燃料注入口1133を設置し、更に、流れ場構造113、115は、一歩進んでそれぞれ流路1131、1151に分かれて連結する燃料排出口1135を設置することである。
【００１１】
本考案の燃料電池装置1を実装する時、上、下２枚の燃料電池板13、15は、両面流路板11の間にそれぞれ挟在し、且つ、それぞれ両面流路板11の両側表面にしっかりと貼付している。本考案の燃料電池装置1を使用する時、外部の燃料を燃料注入口1133から注入でき、その後燃料がそれぞれ流路1131、1151に流入して、最後にはそれぞれ分かれて燃料電池板13、15の内部に流入する。燃料電池板13、15の電気化学的反応後の生成物は、それぞれ流路1131、1151に分かれて流入し、最後にはそれぞれ燃料排出口1135に流入して排出される。上、下２枚の燃料電池板13、15ではそれぞれ電流を発生し、更に各燃料電池板13、15のこれら集電層135a、135b、155a、155bを経て直並列の電気的接続を形成し、最終的に発生した供給電圧を信号ポート137、157に電気的接続することで外部に電力を提供する。
【００１２】
本考案の燃料電池装置1は、燃料の種類に基づき、メタノール燃料を用いた燃料電池装置、液体燃料を用いた燃料電池装置、及び、ガスを用いた燃料電池装置などを実行できる。
【図面の簡単な説明】
【００１３】
【図１】本考案である両面に流路板を具えた燃料電池装置の立体見取図である。
【図２】本考案の図１の立体分解見取図である。
【図３】本考案の図１の側面断面の見取図である。
【図４】本考案の両面流路板のその上表面の平面上面見取図である。
【図５】図４の両面流路板のその下表面の平面上面見取図である。
【符号の説明】
【００１４】
1     燃料電池装置
11    両面流路板
13、15    燃料電池板
111     板体
131、151   基層板
133、153 膜電極接合体
135a、135b、155a、155b     集電層
137、157 信号ポート
113、115   流れ場構造
1131、1151 流路
1133     燃料注入口
1135    燃料排出口
【図１】
0003117702.tif 000003
【図２】
0003117702.tif 000004
【図３】
0003117702.tif 000005
【図４】
0003117702.tif 000006
【図５】
0003117702.tif 000007